(57)【要約】【課題】加湿フィルターの目詰まり度合いを自動的に把握できる加湿装置を提供することを目的とする。【解決手段】室内湿度を検出するための湿度センサＡ１と、空気流路４に送風機５および加湿フィルター６を設けた本体７と、加湿フィルター６の下流側に設けた湿度センサＢ１０と、湿度センサＡ１と湿度センサＢ１０の出力信号を受ける制御手段１１とを備え、制御手段１１は、湿度センサＡ１と湿度センサＢ１０の検出湿度差と比較して加湿フィルター６の劣化状態を検出可能とすることにより、加湿フィルター６の目詰まり度合いを自動的に把握できる加湿装置を得られる。【選択図】図１
2007107780.tif 000002
【特許請求の範囲】
【請求項１】
室内湿度を検出するための湿度センサＡと、吸込口と吹出口を連通し形成された空気流路に送風機および加湿フィルターを設けた本体と、前記加湿フィルターに水を供給する給水手段と、前記加湿フィルターの下流側に設けた湿度センサＢと、前記湿度センサＡと前記湿度センサＢの出力信号を受ける制御手段とを備え、前記制御手段は前記湿度センサＡと前記湿度センサＢの検出湿度差と比較して、前記加湿フィルターの劣化状態を検出可能とした加湿装置。
【請求項２】
本体の表面に報知手段を設け、制御手段は、湿度センサＡと、湿度センサＢの検出湿度差が基準湿度差以下になったときに、前記報知手段を駆動して加湿フィルターが洗浄時期に近づいたことを報知する構成とした請求項１記載の加湿装置。
【請求項３】
加湿フィルターの上流側に設けた加熱手段と、この加熱手段を制御して送風運転と温風運転とを切り替える制御手段とを備え、前記制御手段は、送風運転中に湿度センサＡと湿度センサＢの検出湿度差が基準湿度差以下となるのを検出したときは、送風運転から温風運転に切り替える構成とした請求項１または２記載の加湿装置。
【請求項４】
湿度センサＡと湿度センサＢの検出湿度差が基準湿度差以下になったときに、制御手段は送風機の風量を増加させる構成とした請求項１または２記載の加湿装置。
【請求項５】
中空円筒状で水槽の溜水に常に下部を浸して回転可能に支持された加湿フィルターと、この加湿フィルターを水平軸を中心に回転する回転手段とを備え、湿度センサＡと湿度センサＢの検出湿度差が基準湿度差以下になったときに、制御手段は、前記回転手段の回転速度を下げる構成とした請求項１または２記載の加湿装置。
【請求項６】
水槽上部に弱酸性薬剤を供給する薬剤供給手段を設け、湿度センサＡと湿度センサＢの検出湿度差が基準湿度差以下になったときに、制御手段は、前記薬剤供給手段を駆動する構成とした請求項１〜５記載の加湿装置。
【請求項７】
湿度センサＡと湿度センサＢの検出湿度差が基準湿度差以下になる運転時間または発生回数が基準上限値を超えたときには、制御手段は加湿運転を自動停止する構成とした請求項１〜６記載の加湿装置。
【請求項８】
制御手段を、加湿運転を自動停止したときは、異なる報知表現をするように報知手段を駆動して、加湿フィルターの洗浄時期または交換時期となったことを報知する構成とした請求項７記載の加湿装置。
【発明の詳細な説明】
【技術分野】
【０００１】
本発明は、二つの湿度センサを用い湿度を検知して加湿する加湿装置に関する。
【背景技術】
【０００２】
従来、この種の加湿装置の一例として気化式加湿器が知られている（例えば、特許文献１参照）。
【０００３】
以下、その気化式加湿器について図９を参照しながら説明する。
【０００４】
図に示すように、本体１０１に吸込口１０２と吹出口１０３を設け、内部に水タンク１０４より水路１０５を介して給水される水槽１０６を設け、水槽１０６に下部が浸るように気化フィルター１０７および気化フィルター１０７に加熱体１０８を介して送風する送風用ファン１０９を設け、吸込口１０２と吹出口１０３の近傍には、湿度を検出する湿度センサ１１０と１１１を設け、運転オフ時には水路１０５に設けた開閉手段１１２により水路１０５を閉じるように設け、水槽１０６に対する水タンク１０４からの給水を停止し、気化フィルター１０７が乾燥されるように構成している。
【特許文献１】特開２００４−２３３０２２号公報（［０００７］〜［０００９］、図１）
【発明の開示】
【発明が解決しようとする課題】
【０００５】
このような従来の気化式加湿器では、運転オフ時に気化式フィルター１０７を乾燥することはできるが、加湿能力を低下させる加湿フィルターの目詰まり度合いを自動的に把握することができないという課題があり、加湿フィルターの目詰まり度合いを自動的に把握できるようにすることが要求されている。
【０００６】
本発明は、このような従来の課題を解決するもので、加湿フィルターの目詰まり度合いを自動的に把握できる加湿装置を提供することを目的としている。
【課題を解決するための手段】
【０００７】
本発明の加湿装置は上記目的を達成するために、室内湿度を検出するための湿度センサＡと、吸込口と吹出口を連通し形成された空気流路に送風機および加湿フィルターを設けた本体と、前記加湿フィルターに水を供給する給水手段と、前記加湿フィルターの下流側に設けた湿度センサＢと、前記湿度センサＡと前記湿度センサＢの出力信号を受ける制御手段とを備え、前記制御手段は前記湿度センサＡと前記湿度センサＢの検出湿度差と比較して、前記加湿フィルターの劣化状態を検出可能としたものである。
【０００８】
この手段により、加湿フィルターの目詰まり度合いを自動的に把握することができる加湿装置が得られる。
【０００９】
また、他の手段は、本体の表面に報知手段を設け制御手段は、湿度センサＡと湿度センサＢの検出湿度差が基準湿度差以下になったときに、前記報知手段を駆動して加湿フィルターが清掃時期に近づいたことを報知する構成としたものである。
【００１０】
この手段により、加湿フィルターのお手入れ時期が近づいたことを使用者に告知することができる加湿装置が得られる。
【００１１】
また、他の手段は、加湿フィルターの上流側に設けた加熱手段と、この加熱手段を制御して送風運転と温風運転とを切り替える制御手段とを備え、前記制御手段は、送風運転中に湿度センサＡと湿度センサＢの検出湿度差が基準湿度差以下となるのを検出したときは、送風運転から温風運転に切り替える構成としたものである。
【００１２】
この手段により、送風機の騒音を上げることなく加湿量を維持して運転を続けることができる加湿装置が得られる。
【００１３】
また、他の手段は、湿度センサＡと湿度センサＢの検出湿度差が基準湿度差以下になったときに、制御手段は送風機の風量を増加させる構成としたものである。
【００１４】
この手段により、消費電力を大幅に増大させることなく加湿量が減少しないように運転することができる加湿装置が得られる。
【００１５】
また、他の手段は、中空円筒状で水槽の溜水に常に下部を浸して回転可能に支持された加湿フィルターと、この加湿フィルターを水平軸を中心に回転する回転手段とを備え、湿度センサＡと湿度センサＢの検出湿度差が基準湿度差以下となったときに、制御手段は前記回転手段の回転速度を下げる構成としたものである。
【００１６】
この手段により、消費電力を変えることなく加湿量を増すことができる加湿装置が得られる。
【００１７】
また、他の手段は、水槽上部に弱酸性薬剤を供給する薬剤供給手段を湿度センサＡと湿度センサＢの検出湿度差が基準湿度差以下になったときに、制御手段は、前記薬剤供給手段を駆動する構成としたものである。
【００１８】
この手段により、加湿能力を回復させることができ、また、回復効果をさらに高めることができる加湿装置が得られる。
【００１９】
また、他の手段は、湿度センサＡと湿度センサＢの検出湿度差が基準湿度差以下になる運転時間または発生回数が基準上限値を超えたときには、制御手段は、加湿運転を自動停止する構成としたものである。
【００２０】
この手段により、加湿フィルターのお手入れ時期に達したことを使用者に告知するとともに、目詰まりをそれ以上進行しないようにすることができる加湿装置が得られる。
【００２１】
また、他の手段は、制御手段を、加湿運転を自動停止したときは、異なる報知表現をするように報知手段を駆動して、加湿フィルターの洗浄時期または交換時期となったことを報知する構成としたものである。
【００２２】
この手段により、加湿フィルターのお手入れ時期に達したことを使用者に目視にて確認することができる加湿装置が得られる。
【発明の効果】
【００２３】
本発明によれば、加湿フィルターの目詰まり度合いを自動的に把握することができるという効果のある加湿装置を提供できる。
【００２４】
また、加湿フィルターのお手入れ時期が近づいたことを使用者に告知できるという効果のある加湿装置を提供できる。
【００２５】
また、送風機の騒音を上げることなく加湿量を維持して運転を続けることができるという効果のある加湿装置を提供できる。
【００２６】
また、消費電力を大幅に増大させることなく加湿量が減少しないように運転することができるという効果のある加湿装置を提供できる。
【００２７】
また、加湿能力を回復させることができ、また、回復効果をさらに高めることができる加湿装置を提供できる。
【００２８】
また、加湿フィルターのお手入れ時期に達したことを使用者に目視にて確認することができるという効果のある加湿装置を提供できる。
【発明を実施するための最良の形態】
【００２９】
本発明の請求項１記載の発明は、室内湿度を検出するための湿度センサＡと、吸込口と吹出口を連通し形成された空気流路に送風機および加湿フィルターを設けた本体と、前記加湿フィルターに水を供給する給水手段と、前記加湿フィルターの下流側に設けた湿度センサＢと、前記湿度センサＡと前記湿度センサＢの出力信号を受ける制御手段とを備え、前記制御手段は前記湿度センサＡと前記湿度センサＢの検出湿度差と比較して、前記加湿フィルターの劣化状態を検出可能としたものであり、溜水に含まれるカルシウムやマグネシウムなどの不純物が加湿フィルターに付着することで、加湿量が低下するが、湿度センサＡと湿度センサＢの検出湿度差が基準湿度差に比べて小さくなると、加湿量が低下したことが検出され、加湿フィルターの目詰まり度合いを自動的に把握することができるという作用を有する。
【００３０】
また、請求項２記載の発明は、本体の表面に報知手段を設け、制御手段を湿度センサＡと、湿度センサＢの検出湿度差が基準湿度差以下になったときに、前期報知手段を駆動して加湿フィルターが洗浄時期に近づいたことを報知する構成としたものであり、溜水に含まれるカルシウムやマグネシウムなどの不純物が加湿フィルターに付着することで加湿量が低下するために適時お手入れが必要となるが、表示ランプを点灯させることで、加湿フィルターの目詰まりが進行して加湿フィルターのお手入れ時期が近づいたことを使用者に告知できるという作用を有する。
【００３１】
また、請求項３記載の発明は、加湿フィルターの上流側に設けた加熱手段と、この加熱手段を制御して送風運転と温風運転とを切り替える制御手段とを備え、前記制御手段は、送風運転中に湿度センサＡと湿度センサＢの検出湿度差が基準湿度差以下となるのを検出したときは、送風運転から温風運転に切り替える構成としたものであり、加湿フィルターが汚れていて、すぐに洗浄できないときでも、加湿フィルターに温風を当てることで加湿フィルターからの気化量を増大させ、送風機の騒音を上げることなく加湿量を維持して運転を続けることができるという作用を有する。
【００３２】
また、請求項４記載の発明は、湿度センサＡと湿度センサＢの検出湿度差が基準湿度差以下になったときに、制御手段は、送風機の風量を増加させる構成としたものであり、加湿フィルターの汚れによる加湿能力が低減した場合でも、消費電力を大幅に増大させることなく加湿量が減少しないように運転することができるという作用を有する。
【００３３】
また、請求項５記載の発明は、中空円筒状で水槽の溜水に常に下部を浸して回転可能に支持された加湿フィルターと、この加湿フィルターを水平軸を中心に回転する回転手段とを備え、湿度センサＡと湿度センサＢの検出湿度差が基準湿度差以下になったときに、制御手段は、前記回転手段の回転速度を下げる構成としたものであり、回転する加湿フィルターに目詰まりが生じたときに、加湿フィルターの回転数を下げることにより、送風量に対する加湿フィルターの付着水による圧力損失を適切にすることで、消費電力を変えることなく加湿量を増すことができるという作用を有する。
【００３４】
また、請求項６記載の水槽上部に、弱酸性薬剤を供給する薬剤供給手段を設け、湿度センサＡと湿度センサＢの検出湿度差が基準湿度差以下になったときに、制御手段は、前記薬剤供給手段を駆動する構成としたものであり、加湿運転中に加湿フィルターに付着したカルシウムやマグネシウムなどの不純物を弱酸性薬剤で分解することで、加湿フィルターの目詰まりを解消し、加湿能力を回復させることができ、また、加湿フィルターが回転するものでは、加湿フィルター全体に弱酸性薬剤を浸透させることができるという作用を有する。
【００３５】
また、請求項７記載の発明は、湿度センサＡと湿度センサＢの検出湿度差が基準湿度差以下になる運転時間または発生回数が基準上限値を超えたときには、制御手段は、加湿運転を自動停止する構成としたものであり、溜水に含まれるカルシウムやマグネシウムなどの不純物が加湿フィルターに付着することで加湿量が低下するために適時お手入れが必要となるが、湿度センサＡと湿度センサＢの検出湿度差が基準湿度差以下になる運転時間または発生回数が基準上限値を超えたときは、加湿運転を自動停止して加湿フィルターのお手入れ時期に達したことを使用者に告知するとともに、目詰まりをそれ以上に進行しないようにすることができるという作用を有する。
【００３６】
また、請求項８記載の発明は、制御手段を、加湿運転を自動停止したときは、異なる報知表現をするように報知手段を駆動して、加湿フィルターの洗浄時期または交換時期となったことを報知する構成としたものであり、溜水に含まれるカルシウムやマグネシウムなどの不純物が加湿フィルターに付着してお手入れが必要となったときに、加湿運転を自動停止して表示ランプを点灯させることで、加湿フィルターのお手入れ時期に達したことを、使用者は目視にて確認することができるという作用を有する。
【００３７】
以下、本発明の実施の形態について図面を参照しながら説明する。
【００３８】
（実施の形態１）
図１および図２に示すように、室内湿度を検出するための湿度センサＡ１と吸込口２と吹出口３を連通し形成された空気流路４に送風機５および加湿フィルター６を設けた本体７と、加湿フィルター６に水槽８を介して供給する給水手段９と、加湿フィルター６の下流側に設けた湿度センサＢ１０と、湿度センサＡ１と湿度センサＢ１０の出力信号を受ける制御手段１１とを備え、制御手段１１は湿度センサＡ１と湿度センサＢ１０の検出湿度差と比較して、加湿フィルター６の劣化状態を検出可能に設け構成する。
【００３９】
上記構成においては、制御手段１１は、室内湿度を検出する湿度センサＡ１と加湿フィルター６の下流側に設けた湿度センサＢ１０の出力信号を、それぞれ受けて検出湿度差を計算し、さらに、この検出湿度差と制御手段１１にあらかじめ記憶された基準湿度差とを比較することにより、加湿フィルター６の目詰まりによる劣化状態を調べることができ、水槽８の溜水に含まれるカルシウムやマグネシウムなどの不純物が加湿フィルター６に付着することで加湿量は低下するが、湿度センサＡ１と湿度センサＢ１０の検出湿度差に比べて小さくなると、加湿量が低下したことが検出され、加湿フィルター６の目詰まり度合いを自動的に把握することができることとなる。
【００４０】
（実施の形態２）
図１〜図３に示すように、本体７の表面に報知手段１２を設け、制御手段１１を湿度センサＡ１と湿度センサＢ１０の検出湿度差が基準湿度差以下になったときに、報知手段１２を駆動して加湿フィルター６が洗浄時期に近づいたことを報知する構成とする。
【００４１】
上記構成においては、湿度センサＡ１と湿度センサＢ１０の検出湿度差以下になると、加湿フィルター６の目詰まりなどの汚れにより加湿フィルター６からの気化量が減少し、加湿フィルター６の洗浄時期に近づいたと判断して報知手段として汚れ表示ランプ１２を点灯させる。例えば、湿度センサＡ１の検出湿度Ｄａが４０％で、湿度センサＢ１０の検出湿度Ｄｂが５９％のときは検出湿度差（Ｄｂ−Ｄａ）が１９％となり、基準湿度差Ｄｓの設定値が２０％とすると、検出湿度差（Ｄｂ−Ｄａ）＜基準湿度差Ｄｓとなり、制御手段１１は汚れ表示ランプ１２を点灯させて加湿フィルター６が洗浄時期に近づいたことを報知するが、加湿運転はそのまま継続させる。
【００４２】
このように、溜水に含まれるカルシウムやマグネシウムなどの不純物が加湿フィルター６に付着することで加湿量が低下するために適時お手入れが必要となるが、汚れ表示ランプ１２を点灯させることで、加湿フィルター６の目詰まりが進行して加湿フィルター６のお手入れ時期が近づいたことを使用者に報知することができることとなる。
【００４３】
（実施の形態３）
図１〜図４に示すように、加湿フィルター６の上流側に設けた加熱手段１４と、この加熱手段１４を制御して送風運転と温風運転とを切り替える制御手段１１とを備え、制御手段１１を送風運転中に、湿度センサＡ１と湿度センサＢ１０の検出湿度差（Ｄｂ−Ｄａ）が基準湿度差Ｄｓ以下となるのを検出したときは、送風運転から温風運転に切り替える構成とする。
【００４４】
上記構成においては、湿度センサＡ１と湿度センサＢ１０の検出湿度差（Ｄｂ−Ｄａ）が基準湿度差Ｄｓ以下になると、加湿フィルター６からの気化量が減少したと判断して、送風運転をしている場合は、制御手段１１は加熱手段１４に通電して温風運転に一時的に切り替えて加湿量を増やしたタイマー運転を行ない、次に湿度センサＡ１と湿度センサＢ１０の検出湿度差（Ｄｂ−Ｄａ）が所定の基準湿度差Ｄｓより大となったときは、温風運転から送風運転に切り替えて、従来の加湿運転に戻って運転を継続する。
【００４５】
このように、加湿フィルター６が汚れていて、すぐに洗浄できないときでも、加湿フィルター６に温風を当てることで加湿フィルター６からの気化量を増大させ、送風機５の騒音を上げることなく加湿量を維持して運転を続けることができることとなる。
【００４６】
（実施の形態４）
図１〜図３および図５に示すように、湿度センサＡ１と湿度センサＢ１０の検出湿度差（Ｄｂ−Ｄａ）が基準湿度差Ｄｓ以下になったときに、制御手段１１は送風機５の風量を増加させる構成とする。
【００４７】
上記構成においては、湿度センサＡ１と湿度センサＢ１０の検出湿度差（Ｄｂ−Ｄａ）が基準湿度差Ｄｓ以下になったときは、加湿フィルター６の目詰まりなどの汚れにより加湿量が減少したと判断して制御手段１１は所定時間だけ送風機５の風量を増加する運転に切り替え、さらに湿度センサＡ１と湿度センサＢ１０の検出湿度差（Ｄｂ−Ｄａ）が所定の基準湿度差Ｄｓより大となったときは、送風機５Ｂの風量を減少させる運転に切り替えて、従来の加湿運転に戻って運転を継続させる。
【００４８】
このように、加湿フィルター６の汚れによる加湿能力が低減した場合でも消費電力を大幅に増大させることなく加湿量が減少しないように運転することができることとなる。
【００４９】
（実施の形態５）
図１〜図３および図６に示すように、中空円筒状で水槽８の溜水に常に下部を浸して回転可能に支持された加湿フィルター６と、この加湿フィルター６を水平軸１５を中心に回転する回転手段１６とを備え、湿度センサＡ１と湿度センサＢ１０の検出湿度差（Ｄｂ−Ｄａ）が基準湿度差Ｄｓ以下になったときに、制御手段１１は回転手段１６の回転速度を下げる構成とする。
【００５０】
上記構成においては、加湿フィルター６に目詰まりが進行すると、加湿フィルター６の表面に水膜が形成されなくなるが、湿度センサＡ１と湿度センサＢ１０の検出湿度差（Ｄｂ−Ｄａ）が基準湿度差Ｄｓ以下になったときに、加湿フィルター６の回転数を低速回転に切り替え、加湿フィルター６に水膜となって付着する領域を減らして圧損を軽減させることにより、送風量を増やすことができ、加湿量を増加させることができる。
【００５１】
このように、回転する加湿フィルター６に目詰まりが生じたときに、加湿フィルター６の回転数を下げることにより、送風量に対する加湿フィルター６の付着水による圧損を適切にすることで、消費電力を変えることなく加湿量を増やすことができることとなる。
【００５２】
（実施の形態６）
図１〜図３および図７に示すように、水槽８の上部に弱酸性薬剤を供給する薬剤供給手段１７を設け、湿度センサＡ１と湿度センサＢ１０の検出湿度差（Ｄｂ−Ｄａ）が基準湿度差Ｄｓ以下になったときに制御手段１１は、薬剤供給手段１７を駆動する構成とする。
【００５３】
上記構成においては、カルシウムやマグネシウムなどの不純物が付着した加湿フィルター６に、弱酸性薬剤が混合された溜水が浸透することで、カルシウムやマグネシウムの化合物が弱酸性薬剤によって化学分解されることとなる。
【００５４】
このように、加湿運転中に加湿フィルター６に付着したカルシウムやマグネシウムなどの不純物を弱酸性薬剤で分解することで、加湿フィルター６の目詰まりを解消し、加湿能力を回復させることができ、また、加湿フィルター６が回転するものでは加湿フィルター６全体に弱酸性薬剤を浸透させることができ、回復効果をさらに高めることができることとなる。
【００５５】
（実施の形態７）
図１〜図３および図７に示すように、湿度センサＡ１と湿度センサＢ１０の検出湿度差（Ｄｂ−Ｄａ）が基準湿度差Ｄｓ以下になる運転時間または発生回数が基準上限値を超えたときには、制御手段１１は加湿運転を自動停止する構成とする。
【００５６】
上記構成においては、湿度センサＡ１と湿度センサＢ１０の検出湿度差（Ｄｂ−Ｄａ）が基準湿度差Ｄｓ以下になる運転時間または発生回数が、制御手段１１にあらかじめ入力された基準上限値を超えたときは、加湿フィルター６の洗浄時期に達したと判断して加湿運転を自動停止させる。
【００５７】
このように、水槽８の溜水に含まれるカルシウムやマグネシウムの不純物が加湿フィルター６に付着することで、加湿量が低下するために適時お手入れが必要となるが、湿度センサＡ１と湿度センサＢ１０の検出湿度差（Ｄｂ−Ｄａ）が基準湿度差Ｄｓ以下になる運転時間または発生回数が基準上限値（ＴｓまたはＮｓ）を超えたときは、加湿運転を自動停止して加湿フィルター６のお手入れ時期に達したことを使用者に告知するとともに、目詰まりをそれ以上進行しないようにすることができることとなる。
【００５８】
（実施の形態８）
図１〜図３および図７に示すように、制御手段１１が加湿運転を自動停止したときは、異なる報知表現をするように、報知手段としての汚れ表示ランプ１２を点滅表示して、加湿フィルター６の洗浄時期または交換時期となったことを報知する構成とする。
【００５９】
上記構成において、制御手段１１が加湿フィルター６の洗浄時期などを検出して加湿運転を自動停止したときは、同時に汚れ表示ランプ１２を点灯表示から点滅表示に変更するものである。
【００６０】
このように、水槽８の溜水に含まれるカルシウムやマグネシウムなどの不純物が加湿フィルター６に付着してお手入れが必要となったときに、加湿運転を自動停止して報知手段としての汚れ表示ランプ１２を点滅させることで、加湿フィルター６のお手入れ時期に達したことを、使用者は目視にて確認することができることとなる。
【００６１】
なお、各実施の形態では、加湿フィルターに円筒状のものを用い回転する構成としたが、実施の形態５を除いて図８に示すように、水槽８に設置する静止形の気化式加湿フィルター６Ａを用いても同様の作用効果をもたらすことはいうまでもない。
【産業上の利用可能性】
【００６２】
室内湿度を検出する湿度センサＡと吹出湿度を検出する湿度センサＢを用い湿度差により除湿手段を制御することにより、除湿装置の用途にも適用できる。
【図面の簡単な説明】
【００６３】
【図１】本発明の実施の形態１〜８の加湿装置の裏面透視図
【図２】同加湿装置の側面透視図
【図３】同加湿装置の外観斜視図
【図４】本発明の実施の形態４の加湿装置のフローチャート
【図５】本発明の実施の形態５のフローチャート
【図６】本発明の実施の形態６のフローチャート
【図７】本発明の実施の形態７および８のフローチャート
【図８】本発明の他の実施の形態の加湿装置の透視図
【図９】従来の気化式加湿器の概略構成図
【符号の説明】
【００６４】
１    湿度センサＡ
２    吸込口
３    吹出口
４    空気流路
５    送風機
６    加湿フィルター
６Ａ  加湿フィルター
７    本体
８    水槽
９    給水手段
１０  湿度センサＢ
１１  制御手段
１２  報知手段（汚れ表示ランプ）
１４  加熱手段
１５  水平軸
１６  回転手段
１７  薬剤供給手段
【図１】
2007107780.tif 000003
【図２】
2007107780.tif 000004
【図３】
2007107780.tif 000005
【図４】
2007107780.tif 000006
【図５】
2007107780.tif 000007
【図６】
2007107780.tif 000008
【図７】
2007107780.tif 000009
【図８】
2007107780.tif 000010
【図９】
2007107780.tif 000011